(57)【要約】【課題】着信による鳴音出力がテレビ視聴の邪魔とならないようにする。【解決手段】テレビジョン放送視聴機能を有する携帯通信端末システムに、携帯通信端末１００の電池を充電する置台２００に取り付けられた外部テレビジョンアンテナ２０１と、携帯通信端末に内蔵される内蔵テレビジョンアンテナ１０２Ａと、置台に対する携帯通信端末の載置を検出する状態検出部１０９Ａと、状態検出部による携帯通信端末の置台への載置の検出により内蔵テレビジョンアンテナから外部テレビジョンアンテナに切り替えてテレビジョン放送信号を出力する放送信号切替制御部１１３Ａと、放送信号切替部からのテレビジョン放送信号を受信処理しテレビジョン視聴中に携帯通信端末に着信があった場合には着信音の出力を停止する制御を行う視聴優先制御部１１３Ｂとを備える。【選択図】図１
2009200650.tif 000002
【特許請求の範囲】
【請求項１】
テレビジョン放送視聴機能を有する携帯通信端末システムにおいて、
携帯通信端末の電池を充電する置台に取り付けられた外部テレビジョンアンテナと、
携帯通信端末に内蔵される内蔵テレビジョンアンテナと、
前記置台に対する携帯通信端末の載置を検出する状態検出部と、
前記状態検出部による携帯通信端末の置台への載置の検出により前記内蔵テレビジョンアンテナから前記外部テレビジョンアンテナに切り替えてテレビジョン放送信号を出力する放送信号切替制御部と、
前記放送信号切替部からのテレビジョン放送信号を受信処理しテレビジョン視聴中に携帯通信端末に着信があった場合には着信音の出力を停止する制御を行う視聴優先制御部とを備えることを特徴とする携帯通信端末システム。
【請求項２】
前記視聴優先制御部は、テレビジョン視聴中に携帯通信端末に着信があった場合にはテレビジョン視聴の終了後に着信音を出力する制御を行うことを特徴とする、請求項１に記載の携帯通信端末システム。
【請求項３】
前記視聴優先制御部では、外部からの要求で、着信音の出力の停止、又は着信音の出力の選択を可能とすることを特徴とする、請求項１に記載の携帯通信端末システム。
【請求項４】
携帯通信端末システムのテレビジョン放送視聴方法において、
携帯通信端末の電池を充電する置台に対する携帯通信端末の載置を検出する工程と、
携帯通信端末の置台への載置の検出により携帯通信端末に内蔵されたテレビジョンアンテナから置台に取り付けられた外部テレビジョンアンテナに切り替えてテレビジョン放送信号を出力する工程と、
外部テレビジョンアンテナからのテレビジョン放送信号が受信処理されテレビジョン視聴中に携帯通信端末に着信があった場合には着信音の出力を停止する工程とを備えることを特徴とする携帯通信端末システムのテレビジョン放送視聴方法。
【請求項５】
携帯通信端末システムのテレビジョン放送視聴プログラムにおいて、
携帯通信端末の電池を充電する置台に対する携帯通信端末の載置を検出する手順と、
携帯通信端末の置台への載置の検出により携帯通信端末に内蔵されたテレビジョンアンテナから置台に取り付けられた外部テレビジョンアンテナに切り替えてテレビジョン放送信号を出力する手順と、
外部テレビジョンアンテナからのテレビジョン放送信号が受信処理されテレビジョン視聴中に携帯通信端末に着信があった場合には着信音の出力を停止する手順とを備えることを特徴とする携帯通信端末システムのテレビジョン放送視聴プログラム。
【請求項６】
テレビジョン放送視聴機能を有する携帯通信端末において、
携帯通信端末に内蔵される内蔵テレビジョンアンテナと、
携帯通信端末の電池を充電する置台に対する携帯通信端末の載置を検出する状態検出部と、
前記状態検出部による携帯通信端末の置台への載置の検出により前記内蔵テレビジョンアンテナから前記置台に取り付けられた外部テレビジョンアンテナに切り替えてテレビジョン放送信号を出力する放送信号切替制御部と、
前記放送信号切替部からのテレビジョン放送信号が受信処理されテレビジョン視聴中に携帯通信端末に着信があった場合には着信音の出力を停止する制御を行う視聴優先制御部とを備えることを特徴とする携帯通信端末。
【請求項７】
テレビジョン放送視聴機能を有する携帯通信端末において、
携帯通信端末に内蔵される内蔵テレビジョンアンテナと、
前記内蔵テレビジョンアンテナからのテレビジョン放送信号が受信処理されテレビジョン視聴中に着信があった場合には着信音の出力を停止する制御を行う視聴優先制御部とを備えることを特徴とする携帯通信端末。
【発明の詳細な説明】
【技術分野】
【０００１】
本発明はテレビジョン放送視聴機能を有する携帯通信端末システムに関する。特に、本発明は、テレビジョン放送視聴を携帯通信端末への着信で中断させられるのを防止する携帯通信端末システム、テレビジョン放送視聴方法、プログラム及び携帯通信端末に関する。
【背景技術】
【０００２】
従来のテレビジョン放送視聴機能を有する携帯通信端末は、主に内蔵アンテナ（伸縮アンテナ）によりテレビジョン放送信号を受信し、復調処理していた。しかし、携帯通信端末は、小型化、薄型化が求められており、アンテナを内蔵する場合も、そのサイズ（特性）には一定の制限が存在していた。
このようなテレビジョン放送視聴機能を有する携帯通信端末に関連して、以下のような特許文献が存在する。
【０００３】
電界強度が弱い場所でも新たに送受信用外部アンテナを設置することなく、携帯電話により通話できる小型の携帯電話送受信装置を提供するため、携帯電話をテレビ受像機に接続されているテレビ用アンテナに接続して、携帯電話にテレビ用アンテナをテレビ受像機と共用させる接続手段を備えるようにしたことにより、携帯電話が電界強度の弱い場所にあるときでも、新規に送受信用外部アンテナを設置することなく、テレビ用アンテナを利用して、小型の装置により、強い電界強度で送受信することができるものがある（例えば、特許文献１参照）。
【０００４】
しかしながら、上記特許文献１では、携帯電話をテレビ受像機に接続されているテレビ用アンテナに接続するが、テレビ視聴中に携帯電話の着信に対して鳴音出力があるとテレビ視聴に邪魔となり、テレビ視聴毎に着信に対する鳴音出力を停止するのは煩雑であるという課題がある。
また、クレードルに装着されたとき、極めて簡単で容易な作業をもって、テレビジョン（ＴＶ）放送信号に応じた質の高い映像及び音声信号が得られ、質的に優れた画像及び音声の表示及び再生さらには記録がなされる状態が得られることになるものとするため、付属アンテナ，ＴＶ信号に基づく映像及び音声信号を得るＴＶ機能部，記録再生機能部，クレードルの外部コネクタ部に連結される付属コネクタ部，付属アンテナからの第１のＴＶ放送信号と付属コネクタ部を通じて供給される外部アンテナからの第２のＴＶ放送信号とを選択的に取り出してＴＶ機能部に供給するアンテナ出力切換部、及び、付属コネクタ部が外部コネクタ部に連結されるとき、アンテナ出力切換部に第２のＴＶ放送信号を取り出させるとともに、記録再生機能部に映像及び音声信号の記録を行う状態を選択的にとらせる動作制御部を備えるものもある（例えば、特許文献２参照）。
【０００５】
しかしながら、上記特許文献２では、付属アンテナからの第１のＴＶ放送信号と外部アンテナからの第２のＴＶ放送信号とを選択的に取り出しているが、前述のように、テレビ視聴中に携帯電話の着信に対して鳴音出力があるとテレビ視聴に邪魔となり、テレビ視聴毎に着信に対する鳴音出力を停止するのは煩雑であるという課題がある。
また、簡易な構成でテレビジョン信号の信号品質を改善するため、充電器に装着された携帯電話機の電話機用信号受信アンテナで第１のテレビジョン信号を受信したとき、充電器の充電器用信号受信アンテナで第２のテレビジョン信号を受信して当該携帯電話機で第１及び第２のテレビジョン信号をダイバーシチ処理することにより、携帯電話機を単独でテレビジョン放送の受信機とする際に用いる電話機用信号受信アンテナを、当該携帯電話機及び充電器を合わせてテレビジョン放送の受信機とする際にも兼用することで、テレビジョン信号受信システムに対する信号受信アンテナの本数を減らし、簡易な構成でテレビジョン信号の信号品質を改善することができるものもある（例えば、特許文献３参照）。
【０００６】
しかしながら、上記特許文献３では、充電器に装着された携帯電話機の電話機用信号受信アンテナで第１のテレビジョン信号を受信したとき、充電器の充電器用信号受信アンテナで第２のテレビジョン信号を受信して当該携帯電話機で第１及び第２のテレビジョン信号をダイバーシチ処理するが、前述のように、テレビ視聴中に携帯電話の着信に対して鳴音出力があるとテレビ視聴に邪魔となり、テレビ視聴毎に着信に対する鳴音出力を停止するのは煩雑であるという課題がある。
【０００７】
また、携帯端末では、使用者の自宅であっても、他の場所と同様に、テレビ電波から受信可能チャンネルをオートチューニングでサーチしたり、基地局からの位置情報によって同調させる周波数を検索する不要な動作を必要とし、バッテリの寿命が短いため、接続コネクタから信号が制御部に供給されるときには、携帯電話機がＡＣアダプタに直接に接続されたか、あるいは卓上ホルダに取り付けられた場合であり、制御部は、このときには携帯電話機が自宅にあるものと自動認識し、予めメモリに格納されている自宅用の使用者が希望するＴＶ放送局のチャンネル、音量、画像表示の色度・輝度の各種設定情報を読み出し、ＴＶモジュール部には読み出した設定情報のテレビチャンネルに自動的に設定し、音声入出力部には音量を自動設定し、ドライバ部には画像表示の色度・輝度などを自動的に設定するものもある（例えば、特許文献４参照）。
【０００８】
しかしながら、上記特許文献４では、携帯端末では、テレビ電波から受信可能チャンネルをオートチューニングでサーチするが、前述のように、テレビ視聴中に携帯電話の着信に対して鳴音出力があるとテレビ視聴に邪魔となり、テレビ視聴毎に着信に対する鳴音出力を停止するのは煩雑であるという課題がある。
また、テレビ視聴中に電話の着信があっても、使用者が番組を見逃すことなく視聴することができる携帯機器を提供するため、テレビ視聴中に着信があった場合は、自動的に留守番電話モードとなって、発呼者に対して電話に出られない旨が伝えら、これによって、使用者は電話着信の有無を気にすることなくテレビの視聴を続けることができ、また、メモリカードで、受信中のテレビ放送の録画が行われていれば、着信があった場合でも通常通りに着信音が鳴動し、これによって使用者は電話に出て電話の応対することができ、その間のテレビ番組は録画されるので見逃すことはなくなるものもある（例えば、特許文献５参照）。
【０００９】
しかしながら、上記特許文献５では、テレビ視聴中に着信があった場合は、自動的に留守番電話モードとなって、発呼者に対して電話に出られない旨が伝えられるが、電話に出られない旨の音声が出力されテレビ視聴に邪魔となるという課題がある。
また、従来、携帯無線機本体の小型・軽量の要求を満足し、かつ良好な復調信号を得るため、携帯無線機本体を車載アダプタに接続して使用する場合、車載アダプタの受信アンテナと受信部により生成された復調信号と受信電界強度を示す信号を携帯無線機本体のディジタル処理部に出力し、一方、車載アダプタの送受信アンテナを介して携帯無線機本体の受信部により生成される復調信号と受信電界強度を示す信号がディジタル処理部に出力され、ディジタル処理部は、入力された電界強度を示す信号をもとに復調信号の選択切換を行うダイバーシチ処理を行い、良好な復調信号を得るものもある（例えば、特許文献６参照）。
【００１０】
しかしながら、上記特許文献６では、車載アダプタの受信アンテナと受信部により生成された復調信号と携帯無線機本体の受信部により生成される復調信号の選択切換を行うが、前述のように、テレビ視聴中に携帯電話の着信に対して鳴音出力があるとテレビ視聴に邪魔となり、テレビ視聴毎に着信に対する鳴音出力を停止するのは煩雑であるという課題がある。
【００１１】
【特許文献１】特開２００２−１１８４８２号公報
【特許文献２】特開２００５−０７３００６号公報
【特許文献３】特開２００５−１３６７２４号公報
【特許文献４】特開２００５−３０３９４８号公報
【特許文献５】特開２００６−０６７３３１号公報
【特許文献６】特開平０６−２２４８０９号公報
【発明の開示】
【発明が解決しようとする課題】
【００１２】
したがって、本発明は上記問題点に鑑みて、着信による鳴音出力がテレビ視聴に邪魔とならない携帯通信端末システム、テレビジョン放送視聴方法、プログラム及び携帯通信端末を提供することを目的とする。
【課題を解決するための手段】
【００１３】
本発明は前記問題点を解決するために、テレビジョン放送視聴機能を有する携帯通信端末システムにおいて、携帯通信端末の電池を充電する置台に取り付けられた外部テレビジョンアンテナと、携帯通信端末に内蔵される内蔵テレビジョンアンテナと、前記置台に対する携帯通信端末の載置を検出する状態検出部と、前記状態検出部による携帯通信端末の置台への載置の検出により前記内蔵テレビジョンアンテナから前記外部テレビジョンアンテナに切り替えてテレビジョン放送信号を出力する放送信号切替制御部と、前記放送信号切替部からのテレビジョン放送信号を受信処理しテレビジョン視聴中に携帯通信端末に着信があった場合には着信音の出力を停止する制御を行う視聴優先制御部とを備えることを特徴とする携帯通信端末システムを提供する。
【００１４】
さらに、前記視聴優先制御部は、テレビジョン視聴中に携帯通信端末に着信があった場合にはテレビジョン視聴の終了後に着信音を出力する制御を行う。
さらに、前記視聴優先制御部では、外部からの要求で、着信音の出力の停止、又は着信音の出力の選択を可能とする。
さらに、本発明は、携帯通信端末システムのテレビジョン放送視聴方法において、携帯通信端末の電池を充電する置台に対する携帯通信端末の載置を検出する工程と、携帯通信端末の置台への載置の検出により携帯通信端末に内蔵されたテレビジョンアンテナから置台に取り付けられた外部テレビジョンアンテナに切り替えてテレビジョン放送信号を出力する工程と、外部テレビジョンアンテナからのテレビジョン放送信号が受信処理されテレビジョン視聴中に携帯通信端末に着信があった場合には着信音の出力を停止する工程とを備えることを特徴とする携帯通信端末システムのテレビジョン放送視聴方法を提供する。
【００１５】
さらに、本発明は、携帯通信端末システムのテレビジョン放送視聴プログラムにおいて、携帯通信端末の電池を充電する置台に対する携帯通信端末の載置を検出する手順と、携帯通信端末の置台への載置の検出により携帯通信端末に内蔵されたテレビジョンアンテナから置台に取り付けられた外部テレビジョンアンテナに切り替えてテレビジョン放送信号を出力する手順と、外部テレビジョンアンテナからのテレビジョン放送信号が受信処理されテレビジョン視聴中に携帯通信端末に着信があった場合には着信音の出力を停止する手順とを備えることを特徴とする携帯通信端末システムのテレビジョン放送視聴プログラムを提供する。
【００１６】
さらに、本発明は、テレビジョン放送視聴機能を有する携帯通信端末において、携帯通信端末に内蔵される内蔵テレビジョンアンテナと、携帯通信端末の電池を充電する置台に対する携帯通信端末の載置を検出する状態検出部と、前記状態検出部による携帯通信端末の置台への載置の検出により前記内蔵テレビジョンアンテナから前記置台に取り付けられた外部テレビジョンアンテナに切り替えてテレビジョン放送信号を出力する放送信号切替制御部と、前記放送信号切替部からのテレビジョン放送信号が受信処理されテレビジョン視聴中に携帯通信端末に着信があった場合には着信音の出力を停止する制御を行う視聴優先制御部とを備えることを特徴とする携帯通信端末を提供する。
さらに、本発明は、テレビジョン放送視聴機能を有する携帯通信端末において、携帯通信端末に内蔵される内蔵テレビジョンアンテナと、前記内蔵テレビジョンアンテナからのテレビジョン放送信号が受信処理されテレビジョン視聴中に着信があった場合には着信音の出力を停止する制御を行う視聴優先制御部とを備えることを特徴とする携帯通信端末を提供する。
【発明の効果】
【００１７】
以上説明したように、本発明によれば、携帯通信端末の電池を充電する置台に対する携帯通信端末の載置を検出し、携帯通信端末の置台への載置の検出により携帯通信端末に内蔵されたテレビジョンアンテナから置台に取り付けられた外部テレビジョンアンテナに切り替えてテレビジョン放送信号を出力し、外部テレビジョンアンテナからのテレビジョン放送信号が受信処理されテレビジョン視聴中に携帯通信端末に着信があった場合には着信音の出力を停止するようにしたので、置台の外部アンテナを介して特性の優れた安定したテレビ視聴を行っている場合には着信音の出力によりテレビ視聴の中断を防止し、落ち着いた雰囲気でテレビ視聴を楽しむようにすることが可能となる。これにより、テレビ視聴中に携帯電話の着信に対して鳴音出力があるとテレビ視聴に邪魔となり、テレビ視聴毎に着信に対する鳴音出力を停止するのは煩雑であるという課題を解決することが可能となる。
【００１８】
さらに、テレビ視聴の終了後には着信音により着信報知が可能となる。
さらに、外部からの要求で、着信音の出力の停止、又は着信音の出力の選択を可能とする。
さらに、携帯通信端末の内蔵アンテナについても同様にテレビ視聴中には着信音の出力を停止することが可能となる。
【発明を実施するための最良の形態】
【００１９】
以下、本発明の実施の形態について図面を参照して説明する。
図１は本発明に係る携帯通信端末システムの外観を示す図である。本図（ａ）は正面図であり、本図（ｂ）は側面図である。
本図に示すように、携帯通信端末システム３００では、携帯通信端末１００はテレビジョン放送視聴を可能とするアンテナ（伸縮アンテナ）を内蔵し（図示しない）、充電器として機能する置台２００に着脱可能となっており、置台２００はテレビジョン放送信号を受信する外部テレビジョンアンテナを備えている。
【００２０】
外部テレビジョンアンテナは携帯通信端末１００が図示しない内蔵アンテナよりも特性が優れ安定したテレビジョン放送の視聴を可能とする機能を有する。
携帯通信端末１００と置台２００には図示しないインターフェース部（接続端子）がそれぞれ配設され、インターフェース部により携帯通信端末１００と置台２００に対して相互に接続が行われる。
【００２１】
携帯通信端末１００は、矩形形状の後述する表示部１０７を横長にした形状で置台２００に載置され、表示部１０７全体にテレビジョン映像が出力され、携帯通信端末１００には２次電池が内蔵され、内蔵された２次電池は置台２００の充電器によりインターフェース部を介して充電される。
置台２００のアンテナ２０１はインタフェースを介してテレビジョン放送信号を携帯通信端末１００に出力する。
インターフェース部には携帯通信端末１００の充電器（置台）への載置を検出するために磁気／ホール素子、或いは凸部／押下スイッチ等が設けられる。
【００２２】
携帯通信端末１００は後述する表示部１０７を有する第１ユニット１３０と、第１ユニットと略同一形状であり、操作部１０８を有する第２ユニット１３１と、第１ユニットと第２ユニットの各端部と結合する連結部１３２とから主に構成され、通信機能（通話、メール送受信、インターネット接続）、放送受信機能等を備え、プログラム制御により動作する携帯情報処理装置である。以下に詳細に説明を行う。
【００２３】
図２は図１における携帯通信端末の概略構成を示すブロック図である。本図に示すように、携帯通信端末１００にはバス１２０が設けられ、バス１２０には無線通信部１０１、放送受信部１０２、カメラ部１０３、音声処理部１０４、音声処理部１０４を介して送話部１０５と受話部１０６、表示部１０７、操作部１０８、インターフェース部１０９、状態検出部１０９Ａ、スピーカ部１１０、記憶部１１１、電池部１１２及び制御部１１３が接続される。
【００２４】
無線通信部１０１はアンテナ１０１Ａを介して図示しない無線基地局装置との間で無線信号の送受信を行う。
放送受信部１０２は放送局から送信されたテレビジョン（ＴＶ）放送信号を、内蔵アンテナテレビジョン（伸縮アンテナ）１０２Ａを介して受信し、受信した信号の復調による映像データ、音声データ、情報データ等のテレビジョン放送信号処理を行う。
【００２５】
カメラ部１０３が接続され、カメラ部１０３は画像情報の取得(撮影）を行う。
送話部１０５はマイクロフォンで構成され、送話機能を有する。
受話部１０６はスピーカで構成され、受話機能を有する。
音声処理部１０４は送話部１０５と受話部１０６を介して入出力された音声信号の処理を行う。
【００２６】
表示部１０７は、矩形形状のＬＣＤ（液晶表示部）で構成され、画像、図形、文字、記号などの情報表示出力を行うと共にテレビジョン映像（映像信号処理）の出力を行う。
操作部１０８はテンキー、ファンクションキー、方向キーにより構成され、携帯通信端末１００に対する利用者の各種情報入力を行う。
インターフェース部１０９は置台２００との接続処理を行い、特に、状態検出部１０９Ａを有する。
【００２７】
状態検出部１０９Ａはインターフェース部１０９を介して、磁気／ホール素子、或いは凸部／押下スイッチ等からの信号を入力して携帯通信端末１００の置台２００への載置を検出する。
スピーカ部１１０は楽音、報知音を含む鳴音出力を行う。
記憶部１１１は電話帳情報、送受信メール情報、発着呼情報、コンテンツ情報、アプリケーションプログラム情報、撮影画像、及び携帯通信端末１００の諸設定等の情報を格納する。
【００２８】
電池部１１２は携帯通信端末１００の置台２００への載置時に置台２００の充電器により充電される。
制御部１１３は携帯通信端末１００の全体の制御、特に、電話機能、メール機能、インターネット（Ｗｅｂ)接続機能、カメラ機能、テレビジョン受信機能、コンテンツ再生機能、その他の端末の有する機能、各部の制御を行い、特に、放送信号切替制御部１１３Ａ及び視聴優先制御部１１３Ｂを有する。
【００２９】
放送信号切替制御部１１３Ａは、携帯通信端末１００の置台２００への載置時にテレビジョン放送視聴を置台２００の外部テレビジョンアンテナからのテレビジョン放送信号に切り替える制御を行う。
視聴優先制御部１１３Ｂは、置台２００の外部テレビジョンアンテナからのテレビジョン放送信号に切り替え時に携帯通信端末１００への着信に対してテレビジョン放送の視聴を優先する制御を行う。
【００３０】
図３は図２における制御部１１３の制御動作例を説明するフローチャートである。本図（ａ）に示すように、ステップＳ２０１において、制御部１１３の放送信号切替制御部１１３Ａでは、テレビジョン放送信号受信処理を行っているかを確認する。
ステップＳ２０２において、確認できた場合には、放送信号切替制御部１１３Ａでは、インターフェース部１０９の状態検出部１０９Ａからの検出信号により、置台２００に携帯通信端末１００が載置されたかを確認する。確認できない場合にはステップＳ２０４に進む。
【００３１】
ステップＳ２０３において、放送信号切替制御部１１３Ａでは載置の確認ができた場合には置台２００の外部からの外部テレビジョンアンテナからテレビジョン放送信号を入力し、処理を終了する。
ステップＳ２０４において、放送信号切替制御部１１３Ａでは携帯通信端末１００の内蔵テレビジョンアンテナ１０２Ａからテレビジョン放送信号を入力し、処理を終了する。
【００３２】
本図（ｂ）に示すように、ステップＳ２１１において、制御部１１３の視聴優先制御部１１３Ｂでは、無線通信部１０１からの着信として、音声通話、テレビジョン電話、又はメール受信を確認する。
ステップＳ２１２において、視聴優先制御部１１３Ｂでは着信がある場合には、放送信号切替制御部１１３Ａにより置台２００に載置された携帯通信端末１００が置台２００の外部からの外部テレビジョンアンテナからテレビジョン放送信号を入力し視聴中であるかを確認する。確認できない場合にはステップＳ２１５に進む。
【００３３】
ステップＳ２１３において、視聴優先制御部１１３Ｂでは視聴中である場合には着信に対してスピーカ部１１０からの着信音の鳴動を停止し、着信の報知を行わない。このように、テレビジョン放送信号を外部アンテナからの入力に切り替えることにより、着信に対して放送視聴を優先し、例えば、表示出力している放送を中断して着信がある旨の表示、スピーカ部１１０を介する着信がある旨の鳴音出力は行わない。これにより、着信に邪魔されずに視聴を楽しむことが可能となる。
【００３４】
ステップＳ２１４において、視聴優先制御部１１３Ｂでは視聴終了の確認を行う。視聴終了は状態検出部１０９Ａにより置台２００から携帯通信端末１００が離れたことが検出され、又は、放送受信部１０２による放送受信が停止されたことにより確認する。
ステップＳ２１５において、視聴優先制御部１１３Ｂでは視聴終了を確認した場合にはスピーカ部１１０からの着信音の出力を行い、着信があった旨の報知を行い、処理を終了する。通話の着信の場合には通常の着信音と区別して異なる着信音にしてもよい。
【００３５】
したがって、本発明によれば、置台２００の外部テレビジョンアンテナを介して特性の優れた安定したテレビ視聴を行っている場合には着信音の出力によりテレビ視聴の中断を防止し、落ち着いた雰囲気でテレビ視聴を楽しむようにすることが可能となる。これにより、テレビ視聴中に携帯電話の着信に対して鳴音出力があるとテレビ視聴に邪魔となり、テレビ視聴毎に着信に対する鳴音出力を停止するのは煩雑であるという課題を解決することが可能となる。
【実施例１】
【００３６】
図４は図３の変形例であり、制御部１１３の制御動作例を説明するフローチャートである。本図に示すように、図３と比較して、ステップＳ２２３において、視聴優先制御部１１３Ｂでは、操作部１０８から視聴優先要求がある場合にはステップＳ２２４に進み、要求がない場合にはステップＳ２２６に進む。これにより、視聴優先を操作部１０８から要求に応じて選択可能にする。ユーザーの好みに合わせるためである。
【実施例２】
【００３７】
以上の説明では、置台２００の外部テレビジョンアンテナを介したテレビ視聴に対して説明したが、携帯通信端末１００の内蔵テレビジョンアンテナ１０２Ａについても同様にテレビ視聴中には着信音の出力を停止するようにしてもよい。これにより、外部アンテナのテレビ視聴の場合だけでなく、内蔵テレビジョンアンテナ１０２Ａのテレビ視聴の場合にも着信音の出力によりテレビ視聴の中断がなくなる。
【産業上の利用可能性】
【００３８】
以上の説明は携帯通信端末について行ったが、携帯電話機、ＰＨＳ（簡易型携帯電話機）、ＰＤＡ（携帯情報端末）等についても同様に本発明の利用が可能である。
【図面の簡単な説明】
【００３９】
【図１】本発明に係る携帯通信端末システムの外観を示す図である。
【図２】図１における携帯通信端末の概略構成を示すブロック図である。
【図３】図２における制御部１１３の制御動作例を説明するフローチャートである。
【図４】図３の変形例であり、制御部１１３の制御動作例を説明するフローチャートである。
【符号の説明】
【００４０】
１００…携帯通信端末
１０１…無線通信部
１０１Ａ…アンテナ
１０２…放送受信部
１０２Ａ…内蔵アンテナ
１０３…カメラ部
１０４…音声処理部
１０５…送話部
１０６…受話部
１０７…表示部
１０８…操作部
１０９…インターフェース部
１０９Ａ…状態検出部
１１０…スピーカ部
１１１…記憶部
１１２…電池部
１１３…制御部
１１３Ａ…放送信号切替制御部
１１３Ｂ…視聴優先制御部
１２０…バス
２００…置台
２０１…外部アンテナ
３００…携帯通信端末システム
【図１】
2009200650.tif 000003
【図２】
2009200650.tif 000004
【図３】
2009200650.tif 000005
【図４】
2009200650.tif 000006